(57)【要約】      （修正有）【課題】畳の畳表への微細物の埋没を防止する畳保護シートを提供する。【解決手段】畳保護シート１０は、少なくとも畳の畳表２２を被覆すると共に、光透過性を有する。【選択図】図１
0003203300.tif 000002
【実用新案登録請求の範囲】
【請求項１】
少なくとも畳の畳表を被覆すると共に、光透過性を有することを特徴とする畳保護シート。
【請求項２】
前記畳表に押し付けられた状態において該畳表の凹凸に応じて撓むことにより該凹凸をその表面に再現することを特徴とする請求項１記載の畳保護シート。
【請求項３】
前記畳保護シートは、弾力性を有することを特徴とする請求項１または請求項２記載の畳保護シート。
【請求項４】
厚さが０．０２ｍｍ〜６ｍｍであることを特徴とする請求項１〜請求項３のいずれか１項に記載の畳保護シート。
【請求項５】
少なくとも前記畳表を被覆した状態において、複数の固定部材により複数箇所で前記畳に固定されていることを特徴とする請求項１〜請求項４のいずれか１項に記載の畳保護シート。
【考案の詳細な説明】
【技術分野】
【０００１】
本考案は、畳を保護するシートに関する。
【背景技術】
【０００２】
従来、住宅や店舗といった建造物の床材として畳が知られている。畳は芯材となる板状の畳床を、イ草で織り上げられた畳表により覆ったものであり、その縁には畳表の畳床に対する固定、および意匠的な美観を兼ねて畳縁と呼ばれる帯状の布を縫いつけることが一般的である。このような畳は、イ草による空気の浄化作用やその香りによる癒しの効果、さらには防音性、断熱性を併せ持つ極めて機能的なものであり、近代においても積極的に使用されている。また、多機能性の畳としては、下記特許文献１に示されるような防虫性、耐腐食性、耐熱性、安定性に優れ、クッション性を加味すると共に湾曲にも対応でき、畳の空気の流通をも良くした桐板平マユ形式の薄畳が知られている。
【先行技術文献】
【特許文献】
【０００３】
【特許文献１】特開２００７−１５４６３３号公報
【考案の概要】
【考案が解決しようとする課題】
【０００４】
しかしながら、人などの移動体が畳上を移動すると、畳表の表面に付着した埃や粉塵等の微細物がイ草の編目に押し込められ、埋没してしまうことがある。このような微細物が埋没した場合、表面を掃除した程度では微細物を取り除くことは困難であり、外観を損ねるばかりか、衛生的にも悪いという問題があった。
【０００５】
そこで、本考案はこのような問題に鑑みてなされたものであり、その目的とするところは、畳の畳表への微細物の埋没を防止する畳保護シートを提供することにある。
【課題を解決するための手段】
【０００６】
上記課題を解決するために、本考案の実施形態は、少なくとも畳の畳表を被覆すると共に、光透過性を有することを特徴とする。
【考案の効果】
【０００７】
本考案によれば、畳の畳表への微細物の埋没を防止することができる。なお、本考案のその他の効果については、以下の考案を実施するための形態の項でも説明する。
【図面の簡単な説明】
【０００８】
【図１】本実施の形態に係る畳保護シートが取り付けられた畳の斜視図である。
【図２】本実施の形態に係る畳保護シートが畳表の表面の凹凸を再現する状態を説明するための断面図である。
【考案を実施するための形態】
【０００９】
以下、本考案の実施の形態について図面を参照しつつ説明する。なお、本明細書及び図面において、実質的に同一の機能構成を有する構成要素については、同一の符号を付することにより重複説明を省略する。
【００１０】
図１に示されるように、本実施の形態に係る畳保護シート１０は、畳２０の畳表２２の上面を被覆して保護するものであり、畳表２２を視認可能に光透過性を有する透明または半透明のシートである。この畳保護シート１０は、可撓性を有すると共に落下物等による畳２０の損傷を防止できるよう弾力性を有することが好ましく、高分子樹脂または高分子繊維より構成することが好ましい。このようなシートとしては、例えばＰＶＣ（polyvinyl chloride）等のビニル基を有するものが挙げられる。また、畳保護シート１０は、畳保護シート１０上を人が通る等、畳表２２に押し付けられた状態において、図２に示されるように当該畳表２２上面の凹凸（イ草の編目模様）に応じて撓むことにより、当該凹凸をその表面に再現可能に薄く形成することが好ましい。これにより、人に対して畳特有の風合いを感じさせることができる。このような厚さとしては、しわにならない程度の厚さ、具体的には０．０２ｍｍ〜６ｍｍとすることが好ましい。例えば、厚さを５ｍｍとすれば、畳保護シート１０がしわにならないばかりか、重量のある物体の摺動や落下物の接触等が生じたとしても、畳２０への衝撃を確実に吸収できるため、畳２０は傷つくことがない。
【００１１】
また、畳保護シート１０は、畳表２２を被覆した状態において、複数の固定部材３０により複数箇所で畳２０に固定されることが好ましい。本実施の形態においては、畳保護シート１０の４隅が畳２０の畳縁２４上で固定部材３０により固定されている。この固定部材３０は、畳保護シート１０のめくれ上がりを防止可能に畳２０に畳保護シート１０の要部を固定できるものであればよい。このようなものとしては、画鋲といった畳保護シート１０と畳２０とを貫通し、これらを相対移動不能に固定するピン部材が挙げられる。なお、固定箇所は畳縁２４に限らず、畳表２２上で固定部材３０により畳保護シート１０を固定するようにしてもよい。
【００１２】
なお、畳保護シート１０により畳表２２のみを覆うようにしてもよく、畳縁２４も覆うようにしてもよい。更に、畳表２２の一部のみを覆うようにしてもよく、畳２０全体を包むようにしてもよい。なお、畳２０の全体を包む場合は、畳保護シート１０のめくれ上がりが生じないため、上述した固定部材３０は必要ない。
【００１３】
また、本実施の形態においては、畳保護シート１０が１枚の畳２０のみを保護する場合を説明しているがこれに限定されるものではなく、複数の畳２０を一度に覆うようにしてもよい。即ち、畳保護シート１０はシート状部材であるため、畳２０の数や形状に応じてそのサイズ、形状を変更することができ、例えば８畳の部屋であれば、その８畳分の大きさを有して四隅を固定部材３０により固定すればよい。当然、１畳または複数畳毎に畳保護シート１０を被覆するようにしてもよい。
【００１４】
上述したような畳保護シート１０によれば、畳２０の畳表２２を保護できるため、畳表２２のイ草間への埃や粉塵等の微細物の埋没を確実に防止できる。また、畳はイ草等から欠落したものが埃として生じ、大量にまき散らすことや、その他には水分をためやすい、ダニやノミまたは最近の隠れ家になる、畳表が傷つきやすい、等のことが指摘されている。しかしながら、本実施の形態に係る畳保護シート１０は、光透過性を有し、且つその表面に畳表２２の表面の凹凸を再現できるため、畳そのものの風合いを残しつつも、上記の問題を解決することができる。
【００１５】
本考案は、その要旨または主要な特徴から逸脱することなく、他の様々な形で実施することができる。そのため、前述の実施の形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである。
【符号の説明】
【００１６】
１０  畳保護シート
２０  畳
２２  畳表
２４  畳縁
３０  固定部材
【図１】
0003203300.tif 000003
【図２】
0003203300.tif 000004
【手続補正書】
【提出日】平成28年1月12日(2016.1.12)
【手続補正１】
【補正対象書類名】図面
【補正対象項目名】図１
【補正方法】変更
【補正の内容】
【図１】
0003203300.tif 000005